(57)【要約】【課題】受信側が通信品質を計測した結果に基づいて送信側が変調方式や伝送速度を適応的に設定する通信方式をとる場合に、通信品質の計測結果を送信側に正しく伝えることにより、変調方式や伝送速度を適切に設定できるようにする。【解決手段】送信側のＡＣＫ／ＮＡＣＫ計数部１２は、受信側がパケット誤りの有無に対応して返信し、ＡＣＫ／ＮＡＣＫ復調部１０が復調したＡＣＫ／ＮＡＣＫ信号の個数を所定時間にわたり計数してパケット誤り率を算出する。また、その結果に基づいて、受信側がパイロット信号の受信結果から計測して送信した通信品質情報の各ビット値を予測することにより、ＣＱＩ復調部１３における当該通信品質情報の各ビット値の硬判定しきい値を調整する。【選択図】  図１
2005020530.tif 000002
【特許請求の範囲】
【請求項１】
第１の通信装置から第２の通信装置へ所定の伝送速度又は変調方式に従って誤り検出可能なパケットを送信すると共にパイロット信号を送信し、前記パケット及びパイロット信号を受信した前記第２の通信装置は、前記パケットの誤り検出をした結果をＡＣＫ信号又はＮＡＣＫ信号として前記第１の通信装置に送信し、かつ、前記パイロット信号から通信品質を計測した結果に基づき生成した通信品質情報を前記第１の通信装置に送信し、
前記ＡＣＫ信号又はＮＡＣＫ信号、及び前記通信品質情報を受信した前記第１の通信装置は、前記ＡＣＫ信号又はＮＡＣＫ信号の所定の時間中の個数を計数して予測したパケットの誤り率に基づいて前記通信品質情報の期待値を算出すると共に、前記通信品質情報のしきい値を前記期待値に基づいて調整し、かつ、前記しきい値により硬判定された前記通信品質情報を用いて前記所定の伝送速度又は変調方式を維持又は更新する
ことを特徴とする通信方法。
【請求項２】
前記通信品質情報の期待値は、予め定められた基準値に対応するパケットの誤り率の所定値と前記第１の通信装置が予測したパケットの誤り率との間の差に対応する偏移を、前記基準値に与えることにより算出されることを特徴とする請求項１に記載の通信方法。
【請求項３】
第１の通信装置から第２の通信装置へ所定の伝送速度又は変調方式に従って誤り検出可能なパケットを送信すると共にパイロット信号を送信し、前記パケット及びパイロット信号を受信した前記第２の通信装置は、前記パケットの誤り検出をした結果をＡＣＫ信号又はＮＡＣＫ信号として前記第１の通信装置に送信し、かつ、前記パイロット信号から通信品質を計測した結果に基づき生成した前記所定の伝送速度又は変調方式の維持又は更新の要求を前記第１の通信装置に送信し、
前記ＡＣＫ信号又はＮＡＣＫ信号、及び前記維持又は更新の要求を受信した前記第１の通信装置は、前記ＡＣＫ信号又はＮＡＣＫ信号の所定の時間中の個数を計数して予測したパケットの誤り率に基づいて前記維持又は更新の要求の期待値を算出すると共に、前記維持又は更新の要求のしきい値を前記期待値に基づいて調整し、かつ、前記しきい値により硬判定された前記維持又は更新の要求に基づいて前記所定の伝送速度又は変調方式を維持又は更新する
ことを特徴とする通信方法。
【請求項４】
前記維持又は更新の要求の期待値は、予め定められた基準値に対応するパケットの誤り率の所定値と前記第１の通信装置が予測したパケットの誤り率との間の差に対応する偏移を、前記基準値に与えることにより算出されることを特徴とする請求項３に記載の通信方法。
【請求項５】
第１の通信装置から所定の伝送速度又は変調方式に従って送信された誤り検出可能なパケットと、前記第１の通信装置から送信されたパイロット信号を受信すると共に、前記パケットの誤り検出をした結果を前記ＡＣＫ信号又はＮＡＣＫ信号として返信し、かつ、前記パイロット信号から通信品質を計測した結果に基づき生成した通信品質情報を前記第１の通信装置に送信する第２の通信装置と
前記第２の通信装置から所定の時間受信した前記ＡＣＫ信号又はＮＡＣＫ信号の個数を計数してパケットの誤り率を予測し、そのパケットの誤り率に基づいて前記通信品質情報の期待値を算出し、前記第２の通信装置から受信した前記通信品質情報を前記期待値に基づきしきい値を調整して硬判定した結果を用いて前記所定の伝送速度又は変調方式を維持又は更新する前記第１の通信装置とを
備えたことを特徴とする通信システム。
【請求項６】
前記通信品質情報の期待値は、予め定められた基準値に対応するパケットの誤り率の所定値と前記第１の通信装置が予測したパケットの誤り率との間の差に対応する偏移を、前記基準値に与えることにより算出されることを特徴とする請求項５に記載の通信システム。
【請求項７】
第１の通信装置から所定の伝送速度又は変調方式に従って送信された誤り検出可能なパケットと、前記第１の通信装置から送信されたパイロット信号を受信すると共に、前記パケットの誤り検出をした結果を前記ＡＣＫ信号又はＮＡＣＫ信号として返信し、かつ、前記パイロット信号から通信品質を計測した結果に基づき生成した前記所定の伝送速度又は変調方式の維持又は更新の要求を前記第１の通信装置に送信する第２の通信装置と
前記第２の通信装置から所定の時間受信した前記ＡＣＫ信号又はＮＡＣＫ信号の個数を計数してパケットの誤り率を予測し、そのパケットの誤り率に基づいて前記維持又は更新の要求の期待値を算出し、前記第２の通信装置から受信した前記維持又は更新の要求を前記期待値に基づきしきい値を調整して硬判定した結果を用いて前記所定の伝送速度又は変調方式を維持又は更新する前記第１の通信装置とを
備えたことを特徴とする通信システム。
【請求項８】
前記維持又は更新の要求の期待値は、予め定められた基準値に対応するパケットの誤り率の所定値と前記第１の通信装置が予測したパケットの誤り率との間の差に対応する偏移を、前記基準値に与えることにより算出されることを特徴とする請求項５に記載の通信システム。
【請求項９】
相手方通信装置に所定の伝送速度又は変調方式に従って誤り検出可能なパケットを送信し、かつ、パイロット信号を送信する手段と、
前記相手方通信装置から所定の時間受信したＡＣＫ信号及びＮＡＣＫ信号の個数を計数してパケットの誤り率を予測する手段と、
予測された前記パケットの誤り率に基づいて通信品質情報の期待値を算出する手段と、
前記相手方通信装置からの前記通信品質情報を前記期待値に基づいてしきい値を調整して硬判定する手段と、
硬判定された前記通信品質情報を用いて前記所定の伝送速度又は変調方式を維持又は更新する手段とを
備えたことを特徴とする通信装置。
【請求項１０】
前記通信品質情報の期待値は、予め定められた基準値に対応するパケットの誤り率の所定値と前記第１の通信装置が予測したパケットの誤り率との間の差に対応する偏移を、前記基準値に与えることにより算出されることを特徴とする請求項９に記載の通信装置。
【請求項１１】
相手方通信装置に所定の伝送速度又は変調方式に従って誤り検出可能なパケットを送信し、かつ、パイロット信号を送信する手段と、
前記相手方通信装置から所定の時間受信したＡＣＫ信号及びＮＡＣＫ信号の個数を計数してパケットの誤り率を予測する手段と、
予測された前記パケットの誤り率に基づいて、前記相手方通信装置から送信される前記所定の伝送速度又は変調方式の維持又は更新の要求の期待値を算出する手段と、
前記相手方通信装置からの前記維持又は更新の要求を前記期待値に基づいてしきい値を調整して硬判定する手段と、
硬判定された前記維持又は更新の要求に基づいて前記所定の伝送速度又は変調方式を維持又は更新する手段とを
備えたことを特徴とする通信装置。
【請求項１２】
前記維持又は更新の要求の期待値は、予め定められた基準値に対応するパケットの誤り率の所定値と前記第１の通信装置が予測したパケットの誤り率との間の差に対応する偏移を、前記基準値に与えることにより算出されることを特徴とする請求項１１に記載の通信装置。
【発明の詳細な説明】
【０００１】
【発明の属する技術分野】
本発明は通信方法、通信システム及び通信装置に係り、特に伝搬路の通信品質に基づいて伝送速度や変調方式を選択する通信方法及び通信システム並びにそれらに用いられる通信装置に関する。
【０００２】
【従来の技術】
移動通信においては、マルチパスや干渉波の到来の有無による伝搬環境の変化に対応して通信品質を適正に保つため、伝送速度又は変調方式を適応的に変える方式や、受信側で誤りが検出されたパケットの再送を要求する方式がとられている。前者の一例として、基地局から送られたパイロット信号を通信端末が受信して下りリンクの通信品質を計測し、その結果が通信品質情報として基地局に返信され、基地局はその通信品質情報に対応する適切な伝送速度又は変調方式を選んで当該通信端末に対する以降の下りリンクの送信を行うという方法が挙げられる。
【０００３】
また、後者は自動再送要求（ＡＲＱ）方式として知られているもので、受信パケットに誤りが検出されなかった場合には受信側から送信側に対してＡＣＫ信号を、検出された場合にはＮＡＣＫ信号を送出し、送信側はＮＡＣＫ信号を受け取った場合に当該パケットを再送するものである。
【０００４】
これらの技術を組み合せて、より確実に所定の通信品質を保つことを目的とする発明もなされている（例えば、特許文献１参照。）。この特許文献１に開示された発明は、通信端末が測定した下り回線品質及び再送要求の回数に基づき、下り回線品質対下り伝送速度の対応テーブルを書き換えて所望の下り伝送速度を基地局装置に送信するか、又は上記の下り回線品質及び再送要求の回数を基地局装置に送信して適切な下り伝送速度を決定させるというものである。
【０００５】
【特許文献１】
特開２００２−６４４２４号公報（第２乃至第８ページ、図１）
【０００６】
【発明が解決しようとする課題】
通信端末が計測した結果に基づく通信品質情報や下り伝送速度の情報が、基地局に誤りなく受信され、復調及び復号されなければ、下りリンクの伝送速度又は変調方式を適切に設定することはできない。しかし、上りリンクの伝搬環境が劣化すると、これらの情報が基地局に誤って受信されることがあり、より確実な通信品質保持の目的を達することができない。上述の通り、特許文献１に開示された発明は上りリンクの情報伝達が誤りなく行われることを前提としたものであって、このような場合にまで有効に機能するものではない。
【０００７】
そこで、本発明は、伝搬環境条件に左右されずに通信品質情報を正しく伝達する確率を高め、伝搬環境の変化に適応した伝送速度又は変調方式を適切に選べるようにした通信方法、通信システム及び通信装置を提供することを目的とする。
【０００８】
【課題を解決するための手段】
上記の目的を達成するために、本発明の通信方法は、第１の通信装置から第２の通信装置へ所定の伝送速度又は変調方式に従って誤り検出可能なパケットを送信すると共にパイロット信号を送信し、前記パケット及びパイロット信号を受信した前記第２の通信装置は、前記パケットの誤り検出をした結果をＡＣＫ信号又はＮＡＣＫ信号として前記第１の通信装置に送信し、かつ、前記パイロット信号から通信品質を計測した結果に基づき生成した通信品質情報を前記第１の通信装置に送信し、前記ＡＣＫ信号又はＮＡＣＫ信号、及び前記通信品質情報を受信した前記第１の通信装置は、前記ＡＣＫ信号又はＮＡＣＫ信号の所定の時間中の個数を計数して予測したパケットの誤り率に基づいて前記通信品質情報の期待値を算出すると共に、前記通信品質情報のしきい値を前記期待値に基づいて調整し、かつ、前記しきい値により硬判定された前記通信品質情報を用いて前記所定の伝送速度又は変調方式を維持又は更新することを特徴とする。
【０００９】
また、本発明の通信システムは、第１の通信装置から所定の伝送速度又は変調方式に従って送信された誤り検出可能なパケットと、前記第１の通信装置から送信されたパイロット信号を受信すると共に、前記パケットの誤り検出をした結果を前記ＡＣＫ信号又はＮＡＣＫ信号として返信し、かつ、前記パイロット信号から通信品質を計測した結果に基づき生成した通信品質情報を前記第１の通信装置に送信する第２の通信装置と前記第２の通信装置から所定の時間受信した前記ＡＣＫ信号又はＮＡＣＫ信号の個数を計数してパケットの誤り率を予測し、そのパケットの誤り率に基づいて前記通信品質情報の期待値を算出し、前記第２の通信装置から受信した前記通信品質情報を前記期待値に基づきしきい値を調整して硬判定した結果を用いて前記所定の伝送速度又は変調方式を維持又は更新する前記第１の通信装置とを備えたことを特徴とする。
【００１０】
また、本発明の通信装置は、相手方通信装置に所定の伝送速度又は変調方式に従って誤り検出可能なパケットを送信し、かつ、パイロット信号を送信する手段と、前記相手方通信装置から所定の時間受信したＡＣＫ信号及びＮＡＣＫ信号の個数を計数してパケットの誤り率を予測する手段と、予測された前記パケットの誤り率に基づいて通信品質情報の期待値を算出する手段と、前記相手方通信装置からの前記通信品質情報を前記期待値に基づいてしきい値を調整して硬判定する手段と、硬判定された前記通信品質情報を用いて前記所定の伝送速度又は変調方式を維持又は更新する手段とを備えたことを特徴とする。
【００１１】
本発明によれば、送信側が予測したパケットの誤り率に基づいてしきい値を調整した上で、受信側から送られた通信品質情報の硬判定を行うことにより、その硬判定の確度を高めて、伝送速度又は変調方式を適切に設定することができる。
【００１２】
【発明の実施の形態】
以下に、本発明の実施の形態を、図１及び図２を参照して説明する。図１は、本発明の実施の形態に係る符号分割多元接続（ＣＤＭＡ）方式の移動通信基地局の構成を示すブロック図である。このうち、送信機能を受け持つ部分は、図示しない回線網に接続するための回線網インターフェース１と、この回線網インターフェース１から受け取った下りリンク情報をパケットとして一時保存する送信データバッファ２と、設定された変調方式及び伝送速度で上記下りリンクパケットに基づき一次デジタル変調を行う適応変調部３ａと、上記変調方式と伝送速度の設定情報からなる下りリンク制御チャネル信号及びパイロット信号に基づき一次デジタル変調を行う変調部３ｂと、上記変調方式及び伝送速度を設定する下りリンク送信制御部４と、適応変調部３ａ及び変調部３ｂによる一次デジタル変調信号をそれぞれ拡散変調する拡散部５ａ及び５ｂと、並びに各拡散変調信号を符号分割多重化する多重部６とから構成される。
【００１３】
また、無線部７は、図示しない直交変調器、アップコンバータ、電力増幅器等の送信機能部分の他、低雑音増幅器、ダウンコンバータ、直交復調器等の受信機能部分及び基準周波数源等の送受共用部分から構成され、アンテナ８は送受共用である。
【００１４】
一方、基地局の受信機能を受け持つ部分は、通信端末からの上りリンクデータ信号を逆拡散復調し誤り訂正等を含めて復号する復調部９と、ＡＣＫ／ＮＡＣＫ信号を逆拡散復調し復号するＡＣＫ／ＮＡＣＫ復調部１０と、ＮＡＣＫ信号が受信された場合にパケットを再送するように送信データバッファ２を制御する再送制御部１１と、所定時間内に受信したＡＣＫ信号及びＮＡＣＫ信号の個数を計数するＡＣＫ／ＮＡＣＫ計数部１２と、及び通信端末からアンテナ８、無線部７を介して送られる通信品質情報（Ｃｈａｎｎｅｌ  Ｑｕａｌｉｔｙ  Ｉｎｄｉｃａｔｏｒ、以下ＣＱＩという。）を逆拡散復調し復号するＣＱＩ復調部１３とから構成される。
【００１５】
図２は、本発明の実施の形態に係る通信端末の構成を示すブロック図である。このうち、アンテナ２１は送受共用である。また、無線部２２は、図示しない低雑音増幅器、ダウンコンバータ、直交復調器等の受信機能部分の他、直交変調器、アップコンバータ、電力増幅器等の送信機能部分及び基準周波数源等の送受共用部分から構成される。
【００１６】
さらに、無線部２２の後段の受信機能を受け持つ部分は、下りリンク制御チャネル信号を逆拡散復調し復号する制御チャネル復調部２３と、その結果から下りリンクの変調方式及び伝送速度の情報を抽出する下りリンク制御情報抽出部２４と、下りリンクパケット信号を逆拡散すると共に基地局における一次デジタル変調に対応して復調し復号する適応復調部２５と、その結果についてパケット単位で誤り検出する誤り検出部２６と、並びにパイロット信号を逆拡散復調しその結果から下りリンクの通信品質を計測するパイロット復調部２７とから構成される。また、２８は入出力部である。
【００１７】
一方、通信端末の送信機能を受け持つ部分は、上記パイロット復調部２７からの下りリンクの通信品質計測値に基づいてＣＱＩを生成するＣＱＩ生成部２９と、上記誤り検出部２６からのパケット単位の誤り検出結果に基づいてＡＣＫ信号又はＮＡＣＫ信号を生成するＡＣＫ／ＮＡＣＫ生成部３０と、これらの生成信号及び入出力部２８からの上りリンクデータのそれぞれに基づき一次デジタル変調を行う変調部３１ａ、３１ｂ及び３１ｃと、この変調部３１ａ、３１ｂ及び３１ｃからの一次デジタル変調信号を拡散変調する拡散部３２ａ、３２ｂ及び３２ｃと、並びに拡散部３２ａ、３２ｂ及び３２ｃからの各拡散変調信号を符号分割多重化して無線部２２に出力する多重部３３とから構成される。
【００１８】
続いて、図３を参照して、本発明の実施の形態に係る通信方式の処理動作について説明する。図３は、本発明の実施の形態に係る通信方式の手順を示すフローチャートである。
【００１９】
図３において、通信処理を開始すると、基地局の下りリンク送信制御部４は、適応変調部３ａに一次デジタル変調方式及び伝送速度を設定する（ステップＳ１）。すると、適応変調部３ａは、回線網インターフェース１を介して図示しない回線網から受け取りパケット化されて送信データバッファ２にいったん保存された下りリンクパケットに基づき、設定された変調方式及び伝送速度に従って一次デジタル変調信号を生成し、この一次デジタル変調信号はさらに拡散部５ａにおいて拡散変調される。
【００２０】
一方、下りリンク送信制御部４で設定された変調方式及び伝送速度の情報からなる下りリンク制御チャネル信号、及びこれに重畳されたパイロット信号に基づいて、変調部３ｂにおいて一次デジタル変調が行われ、その結果の信号はさらに拡散部５ｂにおいて拡散変調される。この拡散変調信号は、拡散部５ａからの下りリンクパケットの拡散変調信号と共に多重部６で符号分割多重され、無線部７及びアンテナ８を経て通信端末に対して送信される（ステップＳ２の“パケット送信”）。
【００２１】
これらの下りリンクパケット、パイロット信号、及び下りリンク制御チャネル信号は、通信端末のアンテナ２１で受信され、無線部２２で増幅及び直交復調された後、各復調部２３、２５、２７において個別に復調される。
【００２２】
まず、下りリンク制御チャネル信号に含まれた変調方式及び伝送速度の制御情報は、制御チャネル復調部２３で逆拡散復調及び復号され、下りリンク制御情報抽出部２４において抽出される。
【００２３】
また、下りリンクパケットは、適応復調部２５において逆拡散復調される。この適応復調部２５には、下りリンク制御情報抽出部２４において抽出された変調方式及び伝送速度の情報が供給されており、これに従って基地局における一次デジタル変調に対応して復調され、さらに誤り訂正及び硬判定復号されて、その結果が誤り検出部２６及び入出力部２８に送出される。
【００２４】
また、パイロット信号は、パイロット復調部２７において逆拡散復調される。そして、ＣＱＩ生成部２９はその結果に基づいて下りリンクの通信品質を計測し、複数ビットからなるＣＱＩを生成する。
【００２５】
上記誤り検出部２６において検出された一次デジタル変調の誤り検出の結果に基づいて、ＡＣＫ／ＮＡＣＫ生成部３０において生成されたＡＣＫ信号又はＮＡＣＫ信号は、変調部３１ａで一次デジタル変調され、拡散部３２ａで拡散変調される。この拡散変調されたＡＣＫ信号又はＮＡＣＫ信号と、入出力部２７から送出され、変調部３１ｃで一次デジタル変調され、拡散部３２ｃで拡散変調された上りリンクデータと、及び変調部３１ｂで一次デジタル変調され、拡散部３２ｂで拡散変調されたＣＱＩとが、多重部３３において符号分割多重化され、無線部２２及びアンテナ２１を経て基地局に対して送信される。
【００２６】
そして、基地局において受信されたＡＣＫ／ＮＡＣＫ信号は、アンテナ８及び無線部７を経て、ＡＣＫ／ＮＡＣＫ復調部１０で逆拡散復調され復号される。その結果、ＮＡＣＫ信号が検出された場合には、再送制御部１１が送信データバッファ２を制御して、前回送信され保存されているパケットを通信端末に対して再送させる。また、ＡＣＫ／ＮＡＣＫ計数部１２は、所定時間内に受信したＡＣＫ信号及びＮＡＣＫ信号の個数を計数し（ステップＳ２の“ＡＣＫ／ＮＡＣＫ計数”）、所定の時間が経過するまで（ステップＳ３の“ＮＯ”）、以上の下りリンクパケット送信、並びにＡＣＫ信号、及びＮＡＣＫ信号それぞれの個数の計数を反復して行う。
【００２７】
このようにして、ＡＣＫ／ＮＡＣＫ計数部１２は、所定の時間の経過後に（ステップＳ３の“ＹＥＳ”）ＡＣＫ信号及びＮＡＣＫ信号それぞれの計数値からパケット誤り率を予測し（ステップＳ４）、これからさらにＣＱＩの期待値を算出する（ステップＳ５）。
【００２８】
これに対して、通信端末から送信された上記ＣＱＩは、ＡＣＫ／ＮＡＣＫ信号と同じくアンテナ８及び無線部７を経て、ＣＱＩ復調部１３で逆拡散復調される。ここで、ＣＱＩ復調部１３は、ＡＣＫ／ＮＡＣＫ計数部１２が算出したＣＱＩの期待値に基づいて、ＣＱＩの各ビットの硬判定しきい値を調整し（ステップＳ６）、そのしきい値を用いて復調されたＣＱＩを硬判定復号する（ステップＳ７）。以上のＣＱＩ期待値の算出、しきい値調整、及び硬判定復号については、後で詳しく説明する。
【００２９】
硬判定の後、引き続いて通信を行う必要がある場合には（ステップＳ８の“ＹＥＳ”）、ステップＳ１に戻って変調方式及び伝送速度がＣＱＩの硬判定結果に基づいて再設定され、上述した処理フローが繰り返される。一方、引き続いて通信を行う必要がなければ（ステップＳ８の“ＮＯ”）処理を終了する。
【００３０】
次に、上述したＣＱＩの期待値算出、しきい値調整及び硬判定復号について、図４及び図５を参照して説明する。図４は、ＣＱＩの期待値を算出する方法を説明する図である。図の縦軸はパケット誤り率（ＰＥＲ）を表わし、基地局においては、所定時間中のＮＡＣＫ信号の個数をＡＣＫ信号の個数とＮＡＣＫ信号の個数の和で除した値で予測する。一方、横軸は下りリンクの通信品質（例えば信号電力対干渉電力比ＳＩＲ）である。図中に描かれた曲線は、ＣＱＩ（ここではビット数を５と仮定し、ＣＱＩは０から３１までの値をとるものとする。）のうち５から１２までのそれぞれの値について、対応して設定される変調方式及び伝送速度に基づき下りリンク通信を行った時の通信品質とＰＥＲの関係を表わしている。この実施の形態では、ＣＱＩの値が大きいほど高伝送速度・高効率変調方式に対応するようにしているから、通信品質が同じであれば、ＣＱＩの値が大きいほどＰＥＲが大きいという関係になる。
【００３１】
ここで、基地局においてＣＱＩの初期設定として、例えば「１１」を選び、目標ＰＥＲを「０．１」に設定したものと想定する。この場合の動作点は、図中の「Ａ点」である。しかし、所定時間にわたってＡＣＫ／ＮＡＣＫの個数を計数した結果、ＰＥＲ＝０．４という予測値が得られたとすると、図４に示す通り、実際の動作点は「Ａ点」ではなく「Ｂ点」に移っていることがわかる。つまり、図中の白抜き矢印で示した分だけの通信品質の劣化があったことになる。そこで、「Ｂ点」に対応する通信品質の条件下でＰＥＲ＝０．１とするためには、「Ｂ点」から降ろした垂線とＰＥＲ＝０．１の直線が交わる「Ｃ点」を通るＣＱＩ曲線として、ＣＱＩ＝９を選ぶ必要があることがわかる。
【００３２】
一方、通信端末側において、上述したようにパイロット信号を逆拡散復調して通信品質を計測した結果、ＰＥＲ＝０．１に近い値となるようにＣＱＩの値を設定して基地局に対して送信するが、その値もＣＱＩ＝９である確率が高いと考えられる。しかし、その値は２値５ビットで伝送されるため、上りリンクの通信品質によっては誤りが発生する場合がある。そこで、基地局側では予め予測したＣＱＩ＝９（２進数では‘０１００１’）に基づき、ＭＳＢは“０”、２番目のビットは“１”、３番目のビットは“０”である確率が高いことから、受信し復調したＣＱＩ各ビットの硬判定しきい値をこれに対応して調整する。
【００３３】
図５は、上述したしきい値の調整を説明する図である。図中の左右の正規分布曲線は、ＣＱＩのあるビットの値がそれぞれ“１”又は“０”である確率分布を表わしており、ＣＱＩ値の予測をせず等確率であると想定する場合は２つの正規分布曲線で囲む面積が等しく、図中の破線を硬判定のしきい値として設定するが、例えばＭＳＢについて上述のように“０”である確率が高いと予測した時は、右側の正規分布曲線で囲む面積の方が大きく、“０”又は“１”が等確率となる点が図中の左の方向に偏移するので、これに合わせてしきい値を調整するようにしている。ＭＳＢ以外のビットについても、同様にしきい値を調整することができる。
【００３４】
このようにしきい値を調整することにより、通信端末から送られてきたＣＱＩの各ビットの値を誤って判定する確率が低下するので、下りリンクの通信品質に適応した変調方式及び伝送速度の設定を正しく行うことができる。
【００３５】
なお、本実施の形態においては、通信端末から送信され基地局がしきい値を調整して受信したＣＱＩに基づいて、下りリンクの通信品質に適応した変調方式及び伝送速度の設定を維持又は更新するものとして説明した。これに対して、通信端末が計測した通信品質に適応した変調方式及び伝送速度を選び、その設定の維持又は更新を基地局に対して要求するという方式も考えられる。その場合には、基地局は通信端末から送信されるそのような要求の情報を、パケット誤り率の予測値に基づきしきい値を調整して受信し判定することとなる。
【００３６】
また、本実施の形態においてはＣＤＭＡ方式の移動通信における通信端末と基地局の間の通信を例にとって説明したが、これに限らず、ＡＲＱ及び適応変調等の方法によって信頼度を高める通信方式であれば、無線又は有線の別を問わず本発明を適用することができる。
【００３７】
【発明の効果】
本発明によれば、通信品質情報の予測値に基づき硬判定の信頼度を高め、伝送速度及び適応変調方式を適切に設定することができる。
【図面の簡単な説明】
【図１】本発明の実施の形態に係る移動通信基地局の構成を示すブロック図。
【図２】本発明の実施の形態に係る通信端末の構成を示すブロック図。
【図３】本発明の実施の形態に係るフローチャート。
【図４】本発明の実施の形態に係るＣＱＩの期待値を算出する方法を説明する図。
【図５】本発明の実施の形態に係るしきい値の調整を説明する図。
【符号の説明】
１  回線網インターフェース
２  送信データバッファ
３ａ  適応変調部
３ｂ  変調部
４  下りリンク送信制御部
５ａ、５ｂ  拡散部
６  多重部
７  無線部
８  アンテナ
９  復調部
１０  ＡＣＫ／ＮＡＣＫ復調部
１１  再送制御部
１２  ＡＣＫ／ＮＡＣＫ計数部
１３  ＣＱＩ復調部
２１  アンテナ
２２  無線部
２３  制御チャネル復調部
２４  下りリンク制御情報抽出部
２５  適応復調部
２６  誤り検出部
２７  パイロット復調部
２８  入出力部
２９  ＣＱＩ生成部
３０  ＡＣＫ／ＮＡＣＫ生成部
３１ａ、３１ｂ、３１ｃ  変調部
３２ａ、３２ｂ、３２ｃ  拡散部
３３  多重部
【図１】
2005020530.tif 000003
【図２】
2005020530.tif 000004
【図３】
2005020530.tif 000005
【図４】
2005020530.tif 000006
【図５】
2005020530.tif 000007